(57)【要約】      （修正有）【課題】新奇性、実用性を備え、操作が便利な組合せ式多機能釣竿フレームの構造の提供。【解決手段】基板、２個のフレーム板、釣竿フレーム管、上向き高度定位板などの構成部品により組成する。該基板上に傾斜角度を調整可能な釣竿フレーム管を可動接続し、該釣竿フレーム管片側には別に角度を調整可能な高度定位板を可動接続する。該釣竿フレーム管片側に設置する異なる高度の複数の欠口に高度定位板を挿入することにより、釣竿を挿入設置する釣竿フレーム管を必要な傾斜角度に定位可能で、該組釣竿フレーム管中段位置の片側には欠口を形成し、これにより該基板の両端は垂直方向にそれぞれ該各釣竿フレーム管中段位置側辺の欠口に組み合わされる。さらに設置されるネジとナットにより該基板と該組釣竿フレーム管を固定しH型形態を構成し、こうして地面に置き釣竿を挿入設置でき、或いはコの字型の形態を組成し、釣客は船縁や防波堤の壁上に挟持可能となる。【選択図】図１
0003130303.tif 000002
【実用新案登録請求の範囲】
【請求項１】
基板、釣竿フレーム管、高度定位板を含み、
該釣竿フレーム管は可動接続板により該基板上に可動接続し、該釣竿フレーム管片側には複数の異なる角度の欠口を設置し、傾斜角度を調整しながら釣竿を挿入設置可能で、
該高度定位板は該釣竿フレーム管片側の基板上に可動設置し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位され、こうして魚釣りをより簡単に便利にすることを特徴とする組合せ式多機能釣竿フレームの構造。
【請求項２】
基板、釣竿フレーム管、高度定位板、１組のフレーム板を含み、
該釣竿フレーム管は可動接続板により該基板上に可動接続し、該釣竿フレーム管片側には複数の異なる角度の欠口を設置し、傾斜角度を調整しながら釣竿を挿入設置可能で、
該高度定位板は該釣竿フレーム管片側の基板上に可動設置し、
該１組のフレーム板の中段位置側辺にはそれぞれ欠口を形成し、これにより該基板の両端は垂直方向に該各フレーム板の中段位置において組み合わされ、設置されるネジとナットにより該基板と該組フレーム板を固定しH型の形態を構成し、こうして地面に該釣竿を挿入設置しようとする時により堅固な使用状態を形成し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位されることを特徴とする組合せ式多機能釣竿フレームの構造。
【請求項３】
請求項２記載の組合せ式多機能釣竿フレームの構造において、前記組フレーム板の内の一端において１組の可動接続耳をそれぞれ形成し、該基板の両側縁面には複数組の孔を設置し、ボルトとナットにより該各フレーム板の可動接続耳上の孔と該基板両側の孔を貫通し、こうして該組フレーム板は垂直方式で該基板下方にそれぞれ固定され、該組フレーム板は平行状態を呈し、平行を呈する該組フレーム板を船縁或いは釣場に設置し、
さらに１組の緊迫ボルトにより、１個のフレーム板上に設置するネジ孔を緊密に圧迫固定し、該緊迫ボルトの端部ともう１個のフレーム板の両側縁頂点面には滑り止めのための歯状部を設置するため、緊密に噛み合った後は滑り動くことはないという効果を備えることを特徴とする組合せ式多機能釣竿フレームの構造。
【請求項４】
請求項２記載の組合せ式多機能釣竿フレームの構造において、前記基板及び該２個のフレーム板上には孔を設置し、１組のネジヤマを備えた鉄釘により、該基板或いは該フレーム板上に設置する孔を貫通させ、釣場の地面或いは岩石上に打ち込むことができ、釣竿フレーム全体を安定的に固定し、滑り移動が発生しないようにすることを特徴とする組合せ式多機能釣竿フレームの構造。
【請求項５】
請求項２記載の組合せ式多機能釣竿フレームの構造において、前記高度定位板は多辺形孔を備えるため、中段に多辺形部を備えるピボットにより、１組の可動接続台に可動設置することができ、該１個の可動接続台は調整部品により緊密度を調整する束緊孔を備え、該調整部品により該束緊孔の緊密度を制御し、こうして該高度定位板を特定角度位置に定位することができるようにすることを特徴とする組合せ式多機能釣竿フレームの構造。
【請求項６】
請求項２或いは請求項３記載の組合せ式多機能釣竿フレームの構造において、前記緊迫ボルトの端部と該フレーム板の一方の両側縁頂点面には滑り止めのための歯状部を設置するため、緊密に噛み合った後は滑り動くことはないという効果を備えることを特徴とする組合せ式多機能釣竿フレームの構造。
【請求項７】
基板、可動組合せ板、釣竿フレーム管、高度定位板、１組のフレーム板を含み、
該基板上には１組のレール槽を設置し、
該可動組合せ板は該基板の該組レール槽位置に挿入組合せ、ネジにより固定定位され、
該釣竿フレーム管は可動接続板により該可動組合せ板上に可動接続し、該釣竿フレーム管片側には複数の異なる角度の欠口を設置し、傾斜角度を調整しながら釣竿を挿入設置可能で、
該高度定位板は該釣竿フレーム管片側の可動組合せ板上に可動設置し、
該１組のフレーム板の中段位置側辺にはそれぞれ欠口を形成し、これにより該基板の両端は垂直方向に該各フレーム板の中段位置において組み合わされ、設置されるネジとナットにより該基板と該組フレーム板を固定しH型の形態を構成し、こうして地面に該釣竿を挿入設置しようとする時により堅固な使用状態を形成し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位されることを特徴とする組合せ式多機能釣竿フレームの構造。
【請求項８】
請求項７記載の組合せ式多機能釣竿フレームの構造において、前記組釣竿フレーム管と高度定位板を設置する可動組合せ板は必要に応じて取外し独立しようが可能で、フック部品によりベルトに掛けることもでき、こうして立って釣りをする時には、該釣竿を支える使用機能を提供することを特徴とする組合せ式多機能釣竿フレームの構造。
【請求項９】
請求項７記載の組合せ式多機能釣竿フレームの構造において、前記組フレーム板の内の一端において１組の可動接続耳をそれぞれ形成し、該基板の両側縁面には複数組の孔を設置し、ボルトとナットにより該各フレーム板の可動接続耳上の孔と該基板両側の孔を貫通し、こうして該組フレーム板は垂直方式で該基板下方にそれぞれ固定され、該組フレーム板は平行状態を呈し、平行を呈する該組フレーム板を船縁或いは釣場に設置し、挟持定位の位置を提供し、
さらに１組の緊迫ボルトにより、１個のフレーム板上に設置するネジ孔を緊密に圧迫固定し、該緊迫ボルトの端部ともう１個のフレーム板の両側縁頂点面には滑り止めのための歯状部を設置するため、緊密に噛み合った後は滑り動くことはないという効果を備えることを特徴とする組合せ式多機能釣竿フレームの構造。
【請求項１０】
板体、釣竿フレーム管、高度定位板を含み、
該板体上には掛ける及び固定に用いられる孔を設置し、
該釣竿フレーム管は可動接続板により該板体上に可動接続し、該釣竿フレーム管片側には複数の異なる角度の欠口を設置し、傾斜角度を調整しながら釣竿を挿入設置可能で、
該高度定位板は該釣竿フレーム管片側の板体上に可動設置されることを特徴とする組合せ式多機能釣竿フレームの構造。
【考案の詳細な説明】
【技術分野】
【０００１】
本考案は一種の組合せ式多機能釣竿フレームの構造に関する。特に一種の基板、２個のフレーム板、釣竿フレーム管、上向き高度定位板などの構成部品により組成する釣竿フレームで、基板上に傾斜角度を調整可能な釣竿フレーム管と角度を調整可能な上向き高度定位板を可動接続し、該釣竿フレーム管片側に設置する異なる高度の複数の欠口に高度定位板を挿入することにより、釣竿を挿入設置する釣竿フレーム管を必要な傾斜角度に定位可能で、一般の釣客は魚が掛かった時には釣竿を取外す必要があるが、本考案構造を使用する釣客は高度定位板を直接踏むだけで、１８０度の時計回りで掛かった魚を取ることができ、さらに迅速に組合せと分解が可能で、携帯に便利で、場所を取らない可動接続組合せ式多機能釣竿フレームの構造に係る。
【背景技術】
【０００２】
世界中に存在する釣りの愛好家達の現在の釣りの方式は海釣りと渓流釣りに分けられ、海釣りと渓流釣りはさらに船釣りと磯（岸）釣りに分けられる。一般に磯釣りの愛好者は海（川）岸に立ち、手で釣竿を持つ方式で魚が掛かるのを待つか、或いは一般の釣竿フレームを海（川）岸の砂や土に指し、釣竿フレームを地面に位置させる。一方、船釣りの愛好者は船に乗り外海、川、或いはダム湖などに出て釣りを行うが、彼らは手で釣竿を持つ方式、或いは船縁に設置される釣竿フレームに釣竿を設置し釣りを行う。
いずれにしろ、世界中で現在使用される各種の釣竿フレームは単一の目的だけを備え（つまり、船釣り用釣竿フレームは岸では使用できず、岸用釣竿フレームは船上では使用できない。しかも各種釣竿フレームは高価で場所を取り、さらに釣客が釣場まで携帯するのは非常に面倒で、手で持つことさえできないという状況がある）、しかも釣竿が不安定になるため魚が掛かってもはっきりと判読できないという状況もしばしば発生する。また、この種の釣竿フレームでは魚が掛かると、急いで釣竿を釣竿フレームから取り、手で釣竿を持ち力を使い魚を上げなければならず、非常に不便で労力を費やす。
【考案の開示】
【考案が解決しようとする課題】
【０００３】
本考案は基板、フレーム板、釣竿フレーム管、高度定位板を含み、
該基板上に傾斜角を調整可能な釣竿フレーム管を可動接続し、該釣竿フレーム管片側には別にスイング角度を調整可能な高度定位板を可動接続し、該釣竿フレーム管片側に設置する異なる高度の複数の欠口に高度定位板を挿入することにより、釣竿を挿入設置する釣竿フレーム管を必要な傾斜角度に定位可能で、
またそれは、ボルトとナットが該各フレーム板の可動接続耳上の孔と該基板両側の孔を貫通することにより、該各フレーム板は垂直方式でそれぞれ該基板下方に組み合わされ、該組フレーム板は平行状態を呈し、１組の緊迫ボルトにより該各平行を呈するフレーム板を船縁に設置し、或いは釣場において定位位置に挟持し、組合せ取り外しが便利な機能と効果を備え、
さらにそれは、該釣竿フレーム管と該高度定位板はそれぞれ可動組合せ板上に可動設置し、該基板上には１組の該可動組合せ板を挿入可能なレール槽を設置し、これにより該可動組合せ板は必要に応じて該基板の該組レール槽位置に組み合わされ、ネジにより固定定位され、或いは取り外し、フック部品によりベルト（ズボンの腰部分）に掛けられ、立って釣りをする時の釣竿を支える機能を備える組合せ式多機能釣竿フレームの構造を提供する。
【課題を解決するための手段】
【０００４】
請求項１の考案は、基板、釣竿フレーム管、高度定位板を含み、
該釣竿フレーム管は可動接続板により該基板上に可動接続し、該釣竿フレーム管片側には複数の異なる角度の欠口を設置し、傾斜角度を調整しながら釣竿を挿入設置可能で、
該高度定位板は該釣竿フレーム管片側の基板上に可動設置し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位され、こうして魚釣りをより簡単に便利にすることを特徴とする組合せ式多機能釣竿フレームの構造としている。
請求項２の考案は、基板、釣竿フレーム管、高度定位板、１組のフレーム板を含み、
該釣竿フレーム管は可動接続板により該基板上に可動接続し、該釣竿フレーム管片側には複数の異なる角度の欠口を設置し、傾斜角度を調整しながら釣竿を挿入設置可能で、
該高度定位板は該釣竿フレーム管片側の基板上に可動設置し、
該１組のフレーム板の中段位置側辺にはそれぞれ欠口を形成し、これにより該基板の両端は垂直方向に該各フレーム板の中段位置において組み合わされ、設置されるネジとナットにより該基板と該組フレーム板を固定しH型の形態を構成し、こうして地面に該釣竿を挿入設置しようとする時により堅固な使用状態を形成し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位されることを特徴とする組合せ式多機能釣竿フレームの構造としている。
請求項３の考案は、請求項２記載の組合せ式多機能釣竿フレームの構造において、前記組フレーム板の内の一端において１組の可動接続耳をそれぞれ形成し、該基板の両側縁面には複数組の孔を設置し、ボルトとナットにより該各フレーム板の可動接続耳上の孔と該基板両側の孔を貫通し、こうして該組フレーム板は垂直方式で該基板下方にそれぞれ固定され、該組フレーム板は平行状態を呈し、平行を呈する該組フレーム板を船縁或いは釣場に設置し、
さらに１組の緊迫ボルトにより、１個のフレーム板上に設置するネジ孔を緊密に圧迫固定し、該緊迫ボルトの端部ともう１個のフレーム板の両側縁頂点面には滑り止めのための歯状部を設置するため、緊密に噛み合った後は滑り動くことはないという効果を備えることを特徴とする組合せ式多機能釣竿フレームの構造としている。
請求項４の考案は、請求項２記載の組合せ式多機能釣竿フレームの構造において、前記基板及び該２個のフレーム板上には孔を設置し、１組のネジヤマを備えた鉄釘により、該基板或いは該フレーム板上に設置する孔を貫通させ、釣場の地面或いは岩石上に打ち込むことができ、釣竿フレーム全体を安定的に固定し、滑り移動が発生しないようにすることを特徴とする組合せ式多機能釣竿フレームの構造としている。
請求項５の考案は、請求項２記載の組合せ式多機能釣竿フレームの構造において、前記高度定位板は多辺形孔を備えるため、中段に多辺形部を備えるピボットにより、１組の可動接続台に可動設置することができ、該１個の可動接続台は調整部品により緊密度を調整する束緊孔を備え、該調整部品により該束緊孔の緊密度を制御し、こうして該高度定位板を特定角度位置に定位することができるようにすることを特徴とする組合せ式多機能釣竿フレームの構造としている。
請求項６の考案は、請求項２或いは請求項３記載の組合せ式多機能釣竿フレームの構造において、前記緊迫ボルトの端部と該フレーム板の一方の両側縁頂点面には滑り止めのための歯状部を設置するため、緊密に噛み合った後は滑り動くことはないという効果を備えることを特徴とする組合せ式多機能釣竿フレームの構造としている。
【０００５】
請求項７の考案は、基板、可動組合せ板、釣竿フレーム管、高度定位板、１組のフレーム板を含み、
該基板上には１組のレール槽を設置し、
該可動組合せ板は該基板の該組レール槽位置に挿入組合せ、ネジにより固定定位され、
該釣竿フレーム管は可動接続板により該可動組合せ板上に可動接続し、該釣竿フレーム管片側には複数の異なる角度の欠口を設置し、傾斜角度を調整しながら釣竿を挿入設置可能で、
該高度定位板は該釣竿フレーム管片側の可動組合せ板上に可動設置し、
該１組のフレーム板の中段位置側辺にはそれぞれ欠口を形成し、これにより該基板の両端は垂直方向に該各フレーム板の中段位置において組み合わされ、設置されるネジとナットにより該基板と該組フレーム板を固定しH型の形態を構成し、こうして地面に該釣竿を挿入設置しようとする時により堅固な使用状態を形成し、
上記構成部品により、設置角度を調整可能な高度定位板が該釣竿フレーム管に挿入される該側には複数の欠口を設置し、該各欠口は異なる高度にあるため、釣竿を挿入設置した該釣竿フレーム管は必要な傾斜角度に定位されることを特徴とする組合せ式多機能釣竿フレームの構造としている。
請求項８の考案は、請求項７記載の組合せ式多機能釣竿フレームの構造において、前記組釣竿フレーム管と高度定位板を設置する可動組合せ板は必要に応じて取外し独立しようが可能で、フック部品によりベルトに掛けることもでき、こうして立って釣りをする時には、該釣竿を支える使用機能を提供することを特徴とする組合せ式多機能釣竿フレームの構造としている。
請求項９の考案は、請求項７記載の組合せ式多機能釣竿フレームの構造において、前記組フレーム板の内の一端において１組の可動接続耳をそれぞれ形成し、該基板の両側縁面には複数組の孔を設置し、ボルトとナットにより該各フレーム板の可動接続耳上の孔と該基板両側の孔を貫通し、こうして該組フレーム板は垂直方式で該基板下方にそれぞれ固定され、該組フレーム板は平行状態を呈し、平行を呈する該組フレーム板を船縁或いは釣場に設置し、挟持定位の位置を提供し、
さらに１組の緊迫ボルトにより、１個のフレーム板上に設置するネジ孔を緊密に圧迫固定し、該緊迫ボルトの端部ともう１個のフレーム板の両側縁頂点面には滑り止めのための歯状部を設置するため、緊密に噛み合った後は滑り動くことはないという効果を備えることを特徴とする組合せ式多機能釣竿フレームの構造としている。
請求項１０の考案は、板体、釣竿フレーム管、高度定位板を含み、
該板体上には掛ける及び固定に用いられる孔を設置し、
該釣竿フレーム管は可動接続板により該板体上に可動接続し、該釣竿フレーム管片側には複数の異なる角度の欠口を設置し、傾斜角度を調整しながら釣竿を挿入設置可能で、
該高度定位板は該釣竿フレーム管片側の板体上に可動設置されることを特徴とする組合せ式多機能釣竿フレームの構造としている。
【考案の効果】
【０００６】
本考案は使用と組み立て、分解を便利にすることができる。
【考案を実施するための最良の形態】
【０００７】
図１、２に示すように、本考案組合せ式多機能釣竿フレームの構造は基板１、１組のフレーム板２、３、釣竿フレーム管１１、高度定位板１２などの構成部品により組成する。
該基板１上には該可動接続板１１１により傾斜角度を調整可能な該釣竿フレーム管１１を可動接続し、該釣竿フレーム管１１片側にはさらに設置角度を調整可能な高度定位板１２を可動設置する。該高度定位板１２が該釣竿フレーム管１１に挿入される該側には複数の欠口１１２を設置し、該各欠口１１２は異なる高度にある。これにより、釣竿Aを挿入設置した該釣竿フレーム管１１を必要な傾斜角度に定位することができる。
【０００８】
該１組のフレーム板２、３の中段位置側辺には欠口２１、３１を形成し、これにより該基板１の両端は垂直方向に該各フレーム板２、３の中段位置にそれぞれ組み合わされ、設置されるネジ２３、３３とナット２３１、３３１により該基板１と該組フレーム板２、３を固定しH型の形態を構成する。
さらに地面に該釣竿Aを挿入設置しようとする時により堅固な使用状態を形成するため、該組フレーム板２、３の内の一端において１組の可動接続耳２２、３２をそれぞれ形成し、該基板１の両側縁面には複数組の孔１３を設置し、ボルト１４とナット１４１により該各フレーム板２、３の可動接続耳２２、３２上の孔２２１、３２１と該基板１両側の孔１３を貫通する。こうして該組フレーム板２、３は垂直方式で該基板１下方にそれぞれ固定され、該組フレーム板２、３は平行状態を呈し、平行を呈する該組フレーム板２、３を船縁Ｂ或いは釣場に設置し、挟持定位の位置を提供する。
【０００９】
さらに１組の緊迫ボルト２４１により、１個のフレーム板２上に設置するネジ孔２４を緊密に圧迫固定する。該緊迫ボルト２４１の端部ともう１個のフレーム板３の両側縁頂点面には滑り止めのための歯状部２４２、３４を設置するため、緊密に噛み合った後は滑り動くことはないという効果を備える（図４参照）。
しかも、本考案では使用時に、１組のネジヤマを備えた鉄釘４により、該基板１或いは該フレーム板２、３上に設置する孔を貫通させ、釣場の地面或いは岩石上に打ち込むことができる。さらに、棒体４２により、釣竿フレーム全体を安定的に固定し、滑り移動が発生しないようにする（図２、５参照）。
【００１０】
この他、該釣竿フレーム管１１と該高度定位板１２はそれぞれ可動組合せ板１６（或いは板体）上に可動設置し、該基板１上には１組の該可動組合せ板１６と挿入組合されるレール槽１５を設置する。これにより該可動組合せ板１６は必要に応じて、該基板１の該組レール槽１５位置に組み合わされ、ネジ１６１により固定定位され（図６、７、８参照）、或いはそれを取外し、フック部品１６２によりベルト（ズボンの腰部分）に掛けることもできる。こうして立って釣りをする時には、該釣竿Aを支える使用機能を提供する（図９参照）。
しかも該鉄釘４により該基板１或いは該２個のフレーム板２、３を固定する以外に、岩石Cなどの重量物を直接その上に置き、定位の目的を達成することもできる（図５参照）。
また該高度定位板１２は多辺形孔１２１を備えるため、中段に多辺形部１２４を備えるピボット１２３により、１組の可動接続台１２２に可動設置することができる。該１個の可動接続台１２２は調整部品１２２１により緊密度を調整する束緊孔１２２２を備え、該調整部品１２２１により該束緊孔１２２２の緊密度を制御する。こうして該高度定位板１２を特定角度位置に定位することができるようになる（図３参照）。
【図面の簡単な説明】
【００１１】
【図１】本考案の立体分解図である。
【図２】本考案実施例の組合せ立体図である。
【図３】本考案高度定位板部の立体分解図である。
【図４】本考案の実際使用時に船縁などの位置に挟持固定する場合の実施例立体図である。
【図５】本考案の使用時に重量物を重石とし安定的な固定を図る実施例立体図である。
【図６】本考案釣竿フレーム管と高度定位板部を組立て式に変えた実施例立体図である。
【図７】本考案釣竿フレーム管と高度定位板部を組立て式に変えた断面表示図である。
【図８】本考案釣竿フレーム管と高度定位板部を組立て式に変えた組合せ立体図である。
【図９】本考案釣竿フレーム管と高度定位板部を備えた可動組み合わせ板を取外し、ベルトに掛け使用する実施例図である。
【符号の説明】
【００１２】
１  基板
１１  釣竿フレーム管
１１１  可動接続板
１１２  欠口
１２  高度定位板
１２１  多辺形孔
１２２  可動接続台
１２２１  調整部品
１２２２  束緊孔
１２３  ピボット
１２４  多辺形部
１３、２２１、３２１、４１  孔
１４  ボルト
１４１、２３１、３３１  ナット
１５  レール槽
１６  可動組合せ板
１６１  ネジ
１６２  フック部品
２、３  フレーム板
２１、３１  欠口
２２、３２  可動接続耳
２３、３３  ネジ
２４  ネジ孔
２４１  緊迫ボルト
２４２、３４  歯状部
４  鉄釘
４２  棒体
A  釣竿
B  船縁
C  岩石
【図１】
0003130303.tif 000003
【図２】
0003130303.tif 000004
【図３】
0003130303.tif 000005
【図４】
0003130303.tif 000006
【図５】
0003130303.tif 000007
【図６】
0003130303.tif 000008
【図７】
0003130303.tif 000009
【図８】
0003130303.tif 000010
【図９】
0003130303.tif 000011